(57)【特許請求の範囲】
【請求項１】
大型図面や製本体等の被収納部材（Ａ）を一側面から受持する仕切板（１）を、前方開口状の収納空間（９）の上壁面（９ａ）側から、左右ガイド機構（２）にて左右移動自在に垂設し、かつ、上記仕切板（１）を左右方向多段位置乃至無段位置に停止可能な停止機構（３）を具備し、
上記左右ガイド機構（２）は、上記仕切板（１）の上端前後角部（11）（11）の各々に取着した複数のローラ部材（51）と、上記収納空間（９）の上壁面（９ａ）の前縁・後縁の近傍位置に配設されると共に複数の該ローラ部材（51）をガイドする前後一対の断面Ｃ字状ガイドレール（22）（22）とを、有し、
さらに、複数の上記ローラ部材（51）が、円周方向のガイド溝部（51ａ）を有し、複数の上記ローラ部材（51）の内の一の該ローラ部材（51）の上記ガイド溝部（51ａ）を上記ガイドレール（22）の上向突片（22ａ）に係止すると共に、他の上記ローラ部材（51）の上記ガイド溝部（51ａ）を上記ガイドレール（22）の下向突片（22ｂ）に係止して、上記仕切板（１）を左右移動可能に支持するように構成されたことを特徴とする収納庫。
【請求項２】
大型図面や製本体等の被収納部材（Ａ）を一側面から受持する仕切板（１）を、前方開口状の収納空間（９）の上壁面（９ａ）側から、左右ガイド機構（２）にて左右移動自在に垂設し、かつ、上記仕切板（１）を左右方向多段位置乃至無段位置に停止可能な停止機構（３）を具備し、
上記左右ガイド機構（２）は、上記仕切板（１）の上端前後角部（11）（11）の各々に取着した複数のローラ部材（51）と、上記収納空間（９）の上壁面（９ａ）の前縁・後縁の近傍位置に配設されると共に複数の該ローラ部材（51）をガイドする複数の断面Ｃ字状ガイドレール（22）（22）とを、有し、
複数の上記ガイドレール（22）（22）が、上記仕切板（１）の正面部（14）及び背面部（15）に開口部を対面状に配設した前後一対のガイドレール（22Ａ）（22Ｂ）と、上記仕切板（１）の上端面（10）の前方寄りと後方寄りの異なる箇所に開口部を対面状に配設した前後一対の上方用ガイドレール（22Ｃ）（22Ｄ）とを有し、複数の上記ローラ部材（51）が複数の上記ガイドレール（22Ａ）（22Ｂ）（22Ｃ）（22Ｄ）に回転自在に内装されると共に内壁（22ｄ）に当接して、上記仕切板（１）を左右移動可能に支持するように構成されたことを特徴とする収納庫。
【請求項３】
上記仕切板（１）の上端中央部（50）に取着した上ローラ部材（53）と、該上ローラ部材（53）をガイドするために上記収納空間（９）の上壁面（９ａ）側に配設した上ガイドレール（54）とを、有する請求項２記載の収納庫。
【請求項４】
上記停止機構（３）は、上記仕切板（１）の上端面（10）から突出収納自在に付設した錠杆部材（30）と、該錠杆部材（30）の突出収納を操作する操作部（33）と、上記上壁面（９ａ）側に配設した凹凸波部（32）を有する帯板状部材（31）と、を備え、上記錠杆部材（30）を上記操作部（33）によって突出させ、上記凹凸波部（32）の凹部（32ａ）に嵌め込んで、左右方向多段位置にて停止可能とした請求項１，２又は３記載の収納庫。
【請求項５】
上記停止機構（３）は、上記仕切板（１）の上端面（10）から突出収納自在に付設した錠杆部材（30）と、該錠杆部材（30）の突出収納を操作する操作部（33）と、上記上壁面（９ａ）側に配設した弾性部材から成る帯板状部材（31）と、を備え、上記錠杆部材（30）を上記操作部（33）によって突出させ、上記帯板状部材（31）に当接して該帯板状部材（31）に凹窪部（31ａ）を形成するように部分的圧縮させて、左右方向無段位置にて停止可能とした請求項１，２又は３記載の収納庫。
【発明の詳細な説明】
【技術分野】
【０００１】
本発明は、収納庫に関する。
【背景技術】
【０００２】
従来、本や製本状の書類等や、ファイリングノート等の被収納部材を起立状に整列させて収納するには、棚に逆Ｔ字状又はＬ字状に板金成形された支持板部材（ブックエンド）の下片の一部を被収納部材の下敷きにして、傾倒を支持するものがあった。また、収納庫としては、特許文献１記載のような、棚板に係止溝部を設け、係止溝部に金属製線材をΩ形状に湾曲させた支持線部材（ブックサポート）を、係合させ付設したものが知られている。また、地図や図面、ポスター等の大型の紙面を積層させて収納する引出しキャビネットが知られている。
【先行技術文献】
【特許文献】
【０００３】
【特許文献１】特開平９−５１８２５号公報
【発明の概要】
【発明が解決しようとする課題】
【０００４】
地図や図面、ポスター等の大型紙面を積層させて収納すると検索や取り出しに手間や時間がかかるため、書類と同様にファイリングして見出しを付け収納庫に立て掛けるよう（起立状）に収納する方法が好まれていた。ところが、起立状に整列収納させる際に、逆Ｔ字状又はＬ字状の支持板部材は、大型のファイルの重心が高いため、左右方向の傾倒荷重をうまく支持できなかった。また、薄くて腰の弱い被収納部材では、支持板部材を乗り越えるように傾倒したり、被収納部材が湾曲して寄り掛り、紙面が変形し収納状態が良いとはいえなかった。また、支持板部材は、下片の一部を被収納部材へ下敷きにさせるために支持板部材（ブックエンド）の移動が容易ではなかった（被収納部材を持ち上げる必要があった）。
【０００５】
また、支持線部材は、Ω字が開こうとする弾性を利用して棚に係合しているため、Ω字を閉じるようにして左右へ移動させるには、力の弱い人では困難であった。また、左右への移動性や操作性を重視して弾性力を弱くしたものでは、大型の図面や地図などの傾倒荷重を受けきれずに支持線部材が位置ズレするという問題があった。つまり、弾性力を弱く設定すると、係合する力が弱くなってしまい、被収納部材の傾倒を支持できなくなるため弾性力を不用意に弱く設定することはできないという問題があった。また、弾性力を強く設定すると、移動が困難なうえ、支持線部材が係止溝へこじれた状態でも係合するという問題があった。さらに、無理に移動させると支持線部材が変形し、使用ができなくなるという問題があった。
【０００６】
解決しようとする課題は、仕切部材（支持板部材や支持線部材等）の左右への移動を容易にして、大きな被収納部材や腰の弱い被収納部材を確実に受持（支持）するように収納できない点である。
【０００７】
そこで、本発明は、被収納部材が地図や図面等収納した大型のファイル等や、厚みが薄く腰の弱いものであっても、確実に立て掛けるように（起立状に）受持でき、かつ、容易に左右への移動ができる仕切板を備えた収納庫の提供を目的とする。
【課題を解決するための手段】
【０００８】
そこで、本発明に係る収納庫は、大型図面や製本体等の被収納部材を一側面から受持する仕切板を、前方開口状の収納空間の上壁面側から、左右ガイド機構にて左右移動自在に垂設し、かつ、上記仕切板を左右方向多段位置乃至無段位置に停止可能な停止機構を具備し、上記左右ガイド機構は、上記仕切板の上端前後角部の各々に取着した複数のローラ部材と、上記収納空間の上壁面の前縁・後縁の近傍位置に配設されると共に複数の該ローラ部材をガイドする前後一対の断面Ｃ字状ガイドレールとを、有し、さらに、複数の上記ローラ部材が、円周方向のガイド溝部を有し、複数の上記ローラ部材の内の一の該ローラ部材の上記ガイド溝部を上記ガイドレールの上向突片に係止すると共に、他の上記ローラ部材の上記ガイド溝部を上記ガイドレールの下向突片に係止して、上記仕切板を左右移動可能に支持するように構成されたものである。
【０００９】
また、大型図面や製本体等の被収納部材を一側面から受持する仕切板を、前方開口状の収納空間の上壁面側から、左右ガイド機構にて左右移動自在に垂設し、かつ、上記仕切板を左右方向多段位置乃至無段位置に停止可能な停止機構を具備し、上記左右ガイド機構は、上記仕切板の上端前後角部の各々に取着した複数のローラ部材と、上記収納空間の上壁面の前縁・後縁の近傍位置に配設されると共に複数の該ローラ部材をガイドする複数の断面Ｃ字状ガイドレールとを、有し、複数の上記ガイドレールが、上記仕切板の正面部及び背面部に開口部を対面状に配設した前後一対のガイドレールと、上記仕切板の上端面の前方寄りと後方寄りの異なる箇所に開口部を対面状に配設した前後一対の上方用ガイドレールとを有し、複数の上記ローラ部材が複数の上記ガイドレールに回転自在に内装されると共に内壁に当接して、上記仕切板を左右移動可能に支持するように構成されたものである。
また、上記仕切板の上端中央部に取着した上ローラ部材と、該上ローラ部材をガイドするために上記収納空間の上壁面側に配設した上ガイドレールとを、有するものである。
【００１０】
また、上記停止機構は、上記仕切板の上端面から突出収納自在に付設した錠杆部材と、該錠杆部材の突出収納を操作する操作部と、上記上壁面側に配設した凹凸波部を有する帯板状部材と、を備え、上記錠杆部材を上記操作部によって突出させ、上記凹凸波部の凹部に嵌め込んで、左右方向多段位置にて停止可能としたものである。  
【００１１】
また、上記停止機構は、上記仕切板の上端面から突出収納自在に付設した錠杆部材と、該錠杆部材の突出収納を操作する操作部と、上記上壁面側に配設した弾性部材から成る帯板状部材と、を備え、上記錠杆部材を上記操作部によって突出させ、上記帯板状部材に当接して該帯板状部材に凹窪部を形成するように部分的圧縮させて、左右方向無段位置にて停止可能としたものである。
【発明の効果】
【００１２】
本発明の収納庫によれば、左右ガイド機構を備えているので、仕切板を容易に左右に移動させて、被収納部材を受持することができる。また、停止機構を備えているので、仕切板を多段位置乃至無段位置に停止させ、被収納部材を確実に受持することができる。
【図面の簡単な説明】
【００１３】
【図１】本発明を示す正面図である。
【図２】参考例を示す要部断面側面図である。
【図３】参考例を示す要部拡大断面側面図である。
【図４】本発明を示す要部拡大断面正面図である。
【図５】本発明の収納庫を示す要部拡大断面側面図である。
【図６】本発明の収納庫を示す要部拡大断面正面図である。
【図７】本発明の収納庫の他の実施形態を示す要部断面側面図である。
【図８】本発明の収納庫の他の実施形態を示す要部拡大断面側面図である。
【図９】本発明の収納庫の他の実施形態を示す要部拡大断面正面図である。
【図１０】本発明の収納庫の別の実施形態を示す要部断面側面図である。
【発明を実施するための形態】
【００１４】
以下、実施の形態を示す図面に基づき本発明を詳説する。
図１は本発明の収納庫の実施の形態を示す正面図である。図２は本発明と関連の深い参考例を示す要部断面側面図であり、図３は参考例の要部拡大断面側面図である。図４は本発明及び参考例の要部拡大断面正面図である。  
【００１５】
収納庫は、床面（地面）に設置される箱状の底壁部材７を一面とし、底壁部材７の四隅近傍から４本の金属製支柱部材８，８，８，８を、起立状に配設し、左右側面に金属製薄板状の側板部材６，６を各々配設し、背面に金属薄板状の背板部材５を配設し、底壁部材７の上方へ３つの金属製板状の上壁部材４，４，４を順次底壁部材７と平行に配設し、各々の部材を取着して前方開口箱状に３つの収納空間９，９，９を形成したものである。また、この収納空間９は、大型の図面や地図やポスター等をファイリングして製本状にした被収納部材Ａを起立状に収納可能な大きさに形成している。
【００１６】
言い換えると、底壁部材７を底面とし、上壁部材４を上面（天板41）とし、左右側板部材６，６を左右側面とし、背板部材５を背面とし、４本の支柱部材８，８，８，８で枠組して、前方開口箱状の空間部を形成した収納庫であって、さらに、底壁部材７の上方の空間部に２つの上壁部材４，４を棚面（棚板42）として順次配設して取着し、上段部、中段部、下段部の３つの収納空間９，９，９を形成したものである。
【００１７】
また、収納空間９には、被収納部材Ａを一側面から受持する仕切板１を備えている。仕切板１は、収納空間９の上面を形成する上壁面９ａから吊り持ち状に設けられ（垂設され）ている。また、仕切板１の下端面13は、収納空間９の下面を形成する下壁面９ｂに接触せずに適度な隙間を形成している。この隙間は、腰の弱い被収納部材Ａが湾曲して、仕切板１の下端面13をくぐることがないように、収納空間９の高さ（上壁面９ａから下壁面９ｂの長さ）の半分以上の長さ又は、仕切板１の下端面13が収納空間９の下壁面９ｂの近傍となる長さ（大きさ）に設定している。  
【００１８】
また、仕切板１の（正面側を前方とし背面側を後方として）上端前後角部11，11に、仕切板１を左右方向（図１の矢印Ｌ方向）から挟むように外装し取着（又は螺着）させた仕切保持部材12，12を付設している。仕切保持部材12は、左右方向に突出して、上壁面９ａに垂直な平面を有する平板状フランジ部12ａ，12ａを形成している。フランジ部12ａ，12ａは、左右方向へ往復移動が可能な左右ガイド機構２に取着（螺着）されている。つまり、仕切板１は、仕切保持部材12を介して、左右ガイド機構２に上端前後角部11，11を取着（螺着）されている。
【００１９】
左右ガイド機構２は、収納空間９の上壁面９ａに、収納空間９の左右幅と略等しい長さの板金柱状のレール保持部材23を上壁面９ａの前縁と後縁とに長手方向を左右方向として各々対面状に取着している。前後対面状となったレール保持部材23，23は、コの字状のガイドレール22が各々取着されている。ガイドレール22は、水平状にレール保持部材23に取着されている。ガイドレール22の内部には、金属性の多数のボール21を（取付状態で）上下方向で三列とし、左右方向へ列設している。ボール21は、回転自在にリテーナ24によって支持され、ガイドレール22に内装されている。また、断面視コの字状の被案内部材20を、ボール21に接触させ、僅かな力で容易にガイドレール22に沿って左右方向に往復できるように、ガイドレール22に取着している。
【００２０】
つまり、左右ガイド機構２は、ガイドレール22に沿って被案内部材20が左右往復移動可能なものである。そして、収納空間９の上壁面９ａの前縁・後縁に対面状に配置されている各々の被案内部材20に、仕切板１の上端前後角部11，11に取着された仕切保持部材12，12を各々取着（螺着）し、仕切板１を左右往復移動自在に上壁面９ａ側から垂設しているものである。
【００２１】
また、仕切板１は、その上端面10から、突出収納自在に棒状の錠杆部材30を付設（内蔵）している。錠杆部材30は、仕切板１の正面部14に内装されている上下揺動可能な操作レバー33ａを有する操作部33と連結している。錠杆部材30は、操作部33を操作する（操作レバー33ａを上下へ揺動させる）ことで連動し、突出収納（操作レバー33ａが上方へ揺動した状態では、錠杆部材30は収納し、下方へ揺動した状態では、突出）するように構成されている。この錠杆部材30と操作部33との連動は、両開きが可能な親子扉の子扉側の施錠部材としてよく使用されている建具金具のフランス落とし（又は上下落とし）金具の機構を用いたものである。また、錠杆部材30の先端部（突出収納部）30ａは、丸形（断面視Ｒ形状）に形成されているのが望ましい。
【００２２】
また、収納庫は、仕切板１の上端面10と対面する収納空間９の上壁面９ａに、左右方向を長手方向とした弾性部材から成る（ゴム製）帯板状部材31を取着している。帯板状部材31は、正面断面視波状の凹凸波部32を有している。また、凹凸波部32の凹部32ａに錠杆部材30（の先端部30ａ）が嵌まり込むように、錠杆部材30の先端部30ａ（突出収納部）上方の上壁面９ａに配設され取着されている。凹凸波部32は、左右方向へ多段に（多数の）凹部32ａと凸部32ｂを繰り返した波状に形成している。
【００２３】
つまり、収納庫は、仕切板１の操作部33の操作レバー33ａを操作して、錠杆部材30を仕切板１の上端面10から突出させると帯板状部材31の凹部32ａに錠杆部材30の先端部30ａが嵌まり込んで、仕切板１の左右方向の移動を多段位置で停止させることが可能な停止機構３を備えている。
【００２４】
上述した収納庫の使用方法（作用）について説明する。
まず、大型図面や製本体等（地図や図面、新聞、ポスター等の製本体やファイル等）の被収納部材Ａを起立状に立て掛けるように収納空間９に整列させる。しかし、被収納部材Ａの中で、コシが弱いものは湾曲し、大型のものや重心の高いものは傾倒する。
【００２５】
そこで、仕切板１を被収納部材Ａに接近乃至接触させる。この際、仕切板１は前後角部11，11を保持されている（片持ちではない）ので、仕切板１に加えた左右方向の力を前縁・後縁の被案内部材20，20へ略均等に伝達する。前縁・後縁の被案内部材20，20は、ボール21との接触摩擦は少なく、また、安定してガイドレール22に支持されているので、こじれることなく、僅かな力で、スムーズに左右往復移動する。
【００２６】
次に、操作部33（の操作レバー33ａ）を操作する。錠杆部材30（の先端部30ａ）は、仕切板１の上端面10から突出する。すると、突出した錠杆部材30の丸形の先端部30ａが帯板状部材31の凹部32ａに近接乃至接触するように嵌まり込む。また、丸形の先端部30ａが突出する際に、凸部32ｂに接触したとしても、断面視波状に凹凸波部32を形成しているので、凹部32ａに吸い込まれるように錠杆部材30（先端部30ａ）が嵌まり込む。
【００２７】
仕切板１は、錠杆部材30（先端部30ａ）の帯板状部材31への嵌まり込みによって（停止機構３によって）多段位置に確実に停止する。つまり、仕切板１は、被収納部材Ａを確実に一側面から受持する。被収納部材Ａは、仕切板１によって収納空間９に整列して収納される。
【００２８】
また、被収納部材Ａを出し入れした際（被収納部材Ａが増減した際）は、操作部33（の操作レバー33ａ）を操作する。錠杆部材30（の先端部30ａ）は仕切板１の内部に入り込み（収納され）、仕切板１を左右へ移動可能な状態になる。仕切板１へ左右方向の力を加えると、左右方向（水平方向）へスムーズに移動し、被収納部材Ａに接触乃至近接する。再び操作部33を操作すると、錠杆部材30の先端部30ａが上端面10から突出する。被収納部材Ａの増減があっても（収納する左右方向の長さが変更になっても）帯板状部材31は、凹凸波部32は連続した波状（多段）に凹部32ａと凸32ｂを形成しているので、錠杆部材30は、多段位置で凹部32ａにスムーズに嵌まり込み、仕切板１を停止させる。つまり、仕切板１は、多段位置で容易かつ確実に停止し、被収納部材Ａを受持する。
【００２９】
次に、本発明の収納庫について説明する。図５は要部拡大断面側面図であり、図６は要部拡大断面正面図である。
【００３０】
左右ガイド機構２は、図１〜図４と同様に取着しているレール保持部材23，23に、各々の開口部を対面状にして断面Ｃ字状のガイドレール22，22を取着している。
【００３１】
図５に示すように、前方側（収納空間９の開口側）のガイドレール22は、仕切板１の正面部14に開口部を対面状に取着している。そして、ガイドレール22は、左右方向に配設された３つの回転自在なローラ部材51を係止している。ローラ部材51は、円周方向にガイド溝部51ａを有している。ローラ部材51は、回転軸心Ｌ1 を水平状にして回転自在にガイドレール22に係止されている。つまり、ガイドレール22の開口部は、ガイド溝部51ａに挿入可能かつ、ローラ部材51を左右方向にガイドする上向突片22ａと下向突片22ｂとを対向して設け、３つのガイドローラ部材51内の真中のローラ部材51のガイド溝部51ａを下向突片22ｂに係止すると共に、左右（残り）２つのローラ部材51，51のガイド溝部51ａ，51ａを各々上向突片22ａに係止している。そして、３つのローラ部材51，51，51は、平板状の連結板部材60を介して、図１〜図４と同様の仕切保持部材12のフランジ部12ａ，12ａに取着されている。
【００３２】
また、図示省略するが、対面状に設けられたもう一つの後方側のガイドレール22にも、同様に３つのローラ部材51が設けられ、仕切板１の後方側に取着された仕切保持部材12のフランジ部12ａ，12ａに取着されている。
【００３３】
上述した本発明の収納庫の使用方法（作用）について説明する。
仕切板１に回転自在に取着された合計６つの内の４つのローラ部材51のガイド溝部51ａが上向突片22ａに係止され、残り２つのローラ部材51のガイド溝部51ａが下向突片22ｂに係止されることで、仕切板１は、前後左右方向に傾倒するような揺動が規制されながら、ガイドレール22（上・下向突片22ａ，22ｂ）に沿ってこじれることなくスムーズに左右方向に移動される。また、仕切板１は、上向突片22ａに回転自在に係止された４つのローラ部材51で荷重を受けられると共に、下向突片22ｂに回転自在に係止された２つのローラ部材51で上方へのふらつくような揺動を規制されて、こじれることなくスムーズに左右に移動する。
【００３４】
次に、本発明の収納庫の他の実施形態を説明する。
図７は要部断面側面図であり、図８はその要部拡大断面側面図であり、図９はその要部拡大断面正面図である。
【００３５】
図７に示すように、左右ガイド機構２は、段差状のレール保持部材23，23を、図１〜図４と同様に収納空間９の前方と後方に対面状に配設している。
【００３６】
そして、前方のレール保持部材23に、仕切板１の正面部14に開口部を対面状に配設した断面がＣ字状の前方用ガイドレール22Ａと、仕切板１の前方寄り上端面10に開口部を対面状に配設した断面がＣ字状の前上方用ガイドレール22Ｃとを設けている。また、後方のレール保持部材23に、仕切板１の背面部15に開口部を対面状に配設した断面がＣ字状の後方用ガイドレール22Ｂと、仕切板１の後方寄りの上端面10に開口部を対面状に配設した断面がＣ字状の後上方用ガイドレール22Ｄとを設けている。
【００３７】
ここで、図８と図９に示すように、前方用ガイドレール22Ａは、左右方向に配設された３つの回転自在な前方用ローラ部材51，51，51を内装している。前方用ローラ部材51，51，51は、回転軸心Ｌ1 を水平状にして左右方向に配設されている。この３つの前方用ローラ部材51，51，51の内の真中の１つは、前方用ガイドレール22Ａの内壁22ｄの上方側（上壁面９ａ側）に当接している（図８の点線で示すローラ部材51）。また、左右（残り）の２つの前方用ローラ部材51，51は、内壁22ｄの下方側（上壁面９ａとは反対側）に当接している。
【００３８】
また、前上方用ガイドレール22Ｃは、２つの回転自在な前上方用ローラ部材51，51を内装している。この２つ前上方用ローラ部材51，51は、回転軸心Ｌ1 を垂直状にして左右方向に配設されている。この２つの前上方用ローラ部材51は、前上方用ガイドレール22Ｃの内壁22ｄの前方側（収納空間９の開口側）に当接している。
【００３９】
また、後方用ガイドレール22Ｂは（図７参照）、前方用ガイドレール22Ａと同様に、３つのローラ部材51，51，51を左右方向に配設し、回転軸心Ｌ1 が水平状となるように内装している。この３つの後方用ローラ部材51，51，51は、前方用ローラ部材51と同様に、１つを内壁22ｄの上方側に当接し、残りの２つを内壁22ｄの下方側に当接している。
【００４０】
また、後上方用ガイドレール22Ｄは、２つの回転自在な後上方用ローラ部材51，51を内装している。また、２つの後上方用ローラ部材51，51は回転軸心Ｌ1 を垂直状にして後上方用ガイドレール22Ｄの内壁22ｄの後方側（収納空間９の背面を形成する背壁面９ｃ側）に当接している。
【００４１】
また、図１〜図４と同様の収納空間９に設けられた仕切板１は、上端前後角部11，11に取着した仕切保持部材12，12を付設している。そして、仕切保持部材12は、各々左右方向に突出して、上壁面９ａに垂直な平面を有する平板状フランジ部12ａ，12ａを有すると共に、上壁面９ａに平行な平面を有する平板状上フランジ部12ｂ，12ｂを有している。
【００４２】
そして、前方用ローラ部材51，51，51は、平板状の連結板部材60を介して、前方側の仕切保持部材12のフランジ部12ａに取着されている。また、前上方用ローラ部材51，51は、前方側の仕切保持部材12の上フランジ部12ｂに取着されている。また、後方用ローラ部材51，51，51は、平板状の連結板部材60を介して、後方側の仕切保持部材12のフランジ部12ａに取着されている。また、後上方用ローラ部材51，51は、後方側の仕切保持部材12の上フランジ部12ｂ，12ｂに取着されている。つまり、仕切板１の上端前後角部11，11に複数のローラ部材51を仕切保持部材12，12を介して取着している。
【００４３】
次に、停止機構３は、図１〜図４と同様に、錠杆部材30と操作部33とを仕切板１に備えている。そして、図７〜図９に示すように、左右方向を長手方向とし、断面が平板状の弾性部材から成る帯板状部材31を有している。この帯板状部材31は、錠杆部材30が突出して先端部30ａが当接可能な前上方用ガイドレール22Ｃの内壁22ｄの上方側（収納空間９の上壁面９ａ側）に取着している。この帯板体状部材31は、錠杆部材30の先端部30ａが当接すると、当接面が部分圧縮されて凹み、凹窪部31ａを形成する程度の硬さを有する部材で形成されている。
【００４４】
上述した本発明の収納庫の使用方法（作用）について説明する。
左右ガイド機構２は、合計６つの前・後方用ローラ部材51の内の４つが前・後方用ガイドレール22Ａ，22Ｂの内壁22ｄの下方側に当接すると共に、残りの２つが内壁22ｄの上方側に当接する。つまり、仕切板１の荷重を４つのローラ部材51で確実に支持すると共に、仕切板１の上方への移動を残り２つのローラ部材51で規制して、こじれることなくスムーズに仕切板１を左右方向に往復移動する。
【００４５】
さらに、前上方用ローラ部材51が前上方用ガイドレール22Ｃの内壁22ｄの前方側に当接し、後上方用ローラ部材51が後上方用ガイドレール22Ｄの内壁22ｄの後方側に当接して仕切板１を左右往復移動させる。つまり、仕切板１は、前後方へのふらつくような移動を規制されると共に、前後方向に傾倒するようなこじれを規制され、スムーズに左右に往復移動される。
【００４６】
そして、停止機構３は、仕切板１を停止させる際に、図１〜図４と同様に、操作部33を操作して、錠杆部材30を収納空間９の上壁面９ａ側に突出させる。すると、突出した錠杆部材30の先端部30ａが、前上方用ガイドレール22Ａの（内壁22ｄの上壁面９ａ側に取着された）帯板状部材31に当接する。帯板状部材31は、先端部30ａから部分圧縮を受けて凹窪部31ａを形成する。つまり、錠杆部材30が左右方向の自由な位置で帯板状部材31にくい込むように当接することで、仕切板１が停止保持される。言い換えると、仕切板１は、無段位置で容易かつ確実に停止し、被収納部材Ａを受持する。
【００４７】
次に、本発明の収納庫の別の実施形態を説明する。
図10は要部断面側面図である。
【００４８】
図10に示すように、左右ガイド機構２は、図１〜図４と同様に取着しているレール保持部材23，23に、各々の開口部を対面状にして断面Ｃ字状のガイドレール22，22を取着している。さらに、仕切板１の上端面10の中央部に開口部を対面状して断面Ｃ字状の上ガイドレール54を収納空間９の上壁面９ａ側に設けている。
【００４９】
また、図１〜図４と同様の収納空間９に設けられた仕切板１は、上端前後角部11，11に取着した仕切保持部材12，12を付設している。仕切保持部材12は、各々左右方向に突出して、上壁面９ａに垂直な平面を有する平板状フランジ部12ａ，12ａを有している。さらに、仕切板１の上端中央部50に取着した仕切支持部材61を付設している。仕切支持部材61は、左右方向に突出して、上壁面９ａに平行な平面を有する平板状フランジ部61ｂを有している。
【００５０】
上ガイドレール54は、左右方向に配設された３つの回転自在な上ローラ部材53を内装している。３つの上ローラ部材53は、回転軸心Ｌ1 を垂直状にして左右方向に配設されている。この３つの上ローラ部材53の内の真中の１つは、上ガイドレール54の内面壁54ｄの後方側（収納空間９の背壁面９ｃ側）に当接している（図10の点線部で示す上ローラ部材53）。また、左右（残り）の２つの上ローラ部材53は、内面壁54ｄの前方側（収納空間９の開口側）に当接している。そして、上ローラ部材53は、仕切支持部材61の上フランジ部61ｂに回転自在に取着されている。  
【００５１】
また、前・後方用ガイドレール22，22は、各々に３つのローラ部材51が内装されている。そして、図７〜図９の左右ガイド機構２の前・後方用ローラ部材51と同様に、回転軸心Ｌ1 を水平状に配設して、さらに、１つのローラ部材51を内壁22ｄの上方側に当接するように配設し、２つのローラ部材51を内壁22ｄの下方側に当接するように配設している（参考図として図８と図９とを参照）。また、３つのローラ部材51は、仕切保持部材12のフランジ部12ａに各々回転自在に取着されている。
【００５２】
さらに、停止機構３は、図１〜図４と同様に、錠杆部材30と操作部33とを仕切板１に備えている。そして、左右方向を長手方向とし、断面が平板状の弾性部材から成る帯板状部材31を有している。この帯板状部材31は、錠杆部材30が突出して先端部30ａが当接可能な収納空間９の上壁面９ａに取着している。この帯板体状部材31は、錠杆部材30の先端部30ａが当接すると、当接面が部分圧縮されて凹み、凹窪部31ａを形成する程度の硬さを有する部材で形成されている。
【００５３】
上述した本発明の収納庫の使用方法（作用）について説明する。
左右ガイド機構２は、仕切板１を左右方向に往復移動させる際に、２つの上ローラ部材53が内面壁54ｄの前方側に当接し、１つの上ローラ部材53が内面壁54ｄの後方側に当接して仕切板１を左右往復移動させる。つまり、仕切板１は、前後方向へのふらつくような移動を規制されると共に、前後方向に傾倒するようなこじれを規制され、ズムーズに左右に往復移動される。
また、合計６つの前・後方ガイドレール22，22に内装されているローラ部材51は、合計６つの内の４つがガイドレール22の内壁22ｄの下方側に当接すると共に、２つが内壁22ｄの上方側に当接する。つまり、仕切板１の荷重を４つのローラ部材51で確実に支持すると共に、仕切板１の上方への移動を残り２つのローラ部材51で規制して、こじれることなくスムーズに仕切板１を左右方向に往復移動する。
【００５４】
そして、停止機構３は、仕切板１を停止させる際に、図１〜図４と同様に、操作部33を操作して、錠杆部材30を収納空間９の上壁面９ａ側に突出させる。すると、突出した錠杆部材30の先端部30ａが、上壁面９ａに取着された帯板状部材31に当接する。帯板状部材31は、先端部30ａから部分圧縮を受けて凹窪部31ａを形成する。つまり、錠杆部材30が、左右方向の自由な位置で帯板状部材31にくい込むように当接することで、仕切板１を停止保持させている。言い換えると、仕切板１は、無段位置で容易かつ確実に停止し、被収納部材Ａを受持する。  
【００５５】
なお、本発明は、設計変更可能であって、例えば、仕切板１を複数設けても良い。また、上壁部材４の上下位置（収納空間９の高さ）を自由に設定できるように構成し、仕切板１を左右ガイド機構２から脱着自在（例えばネジ止め）にして、収納空間９の大きさに合わせて交換自在としても良い。また、仕切板１の上下方向長さ（高さ）を伸縮自在可能に構成（例えば、折り畳み式）しても良い。  
【００５６】
また、２つ左右ガイド機構２，２の後方用ガイドレール22を収納空間９の背面を形成する背壁面９ｃの上壁面９ａ寄りに金属製柱状のレール保持部材23を介して取着させ、背面壁９ｃの上壁面９ａ近傍から仕切板１の背面部15の上部（上端後角部11）に被案内部材20を仕切保持部材12を介して取着させ、収納空間９の上壁面９ａ側から仕切板１を垂設しても良い。また、ローラ部材51を複数設けてもよい。また、複数のローラ部材51を平面視千鳥状に配設しても良い。
【００５７】
また、ガイドレール22を収納空間９の開口部の上壁面９ａ近傍に、左右側支柱部材８，８（又は左右側板部材６，６）を左右方向に連結するように金属製柱状のレール保持部材23を設け、左右ガイド機構２を取着させて、開口部の上壁面９ａ近傍から仕切板１の正面部14の上部（上端前角部11）に被案内部材20を仕切保持部材12を介して取着させ、収納空間９の上壁面９ａ側から仕切板１を垂設しても良い。
【００５８】
また、帯板状部材31に左右方向を長手方向とする長凹溝部を形成し、錠杆部材30の先端部30ａを突出させ、長凹溝部に接触させて仕切板１を無段位置に停止可能としても良い。また、錠杆部材30の突出収納の機構としては、上述した以外に、操作レバー33ａの上下揺動操作に対応する錠杆部材30の動きを実施の形態と逆の動きとしても良い。また、フランス落とし（上下落とし）機構以外に、丸落とし（南京落とし）機構のように、操作部33の操作レバー33ａに係止突設部を形成し、操作部33に設けた係止溝に係止させ、錠杆部材30を突出状態にさせる丸落とし（南京落とし）を上向き状に配設し、上端面10から突出収納可能としたものでも良い。また、操作レバー33ａを回転摘まみ状に形成し、回転させて、錠杆部材30が突出収納する機構としたものでも良い。
【００５９】
以上のように、本発明は、大型図面や製本体等の被収納部材Ａを一側面から受持する仕切板１を、前方開口状の収納空間９の上壁面９ａ側から、左右ガイド機構２にて左右移動自在に垂設し、かつ、仕切板１を左右方向多段位置乃至無段位置に停止可能な停止機構３を具備したので、仕切板１をスムーズに左右方向に移動させることができる。また、仕切板１を左右方向多段乃至無段位置で停止させることができるので、確実に被収納部材Ａを受持することができる。また、左右ガイド機構２と停止機構３とを各々を個別に容易に調整できる。
【００６０】
また、左右ガイド機構２は、仕切板１の上端前後角部11，11に取着した被案内部材20と、被案内部材20をガイドするボール21付のガイドレール22とを、有し、収納空間９の上壁面９ａの前縁・後縁の近傍位置に配設して、左右移動自在可能としたので、仕切板１がこじれることなくスムーズに左右方向へ移動することができる。ボール21付のガイドレールなので、接触（摩擦）抵抗が少なく僅かな力でスムーズに移動できる。
【００６１】
また、左右ガイド機構２は、仕切板１の上端前後角部11，11に取着したローラ部材51と、ローラ部材51をガイドするガイドレール22とを、有し、収納空間９の上壁面９ａの前縁・後縁の近傍位置に配設して、左右移動自在可能としたので、仕切板１がこじれることなくスムーズに左右方向へ移動することができる。ローラ部材51がガイドレール22に当接して、移動するので仕切板１がふらつかずズムーズに安定して左右方向に往復移動できる。また、前後方向のふらつきがなくなりより安定して、被収納部材Ａを保持できる。また、仕切板１の上下方向の揺動が規制され、よりスムーズに仕切板１を往復移動できる。
【００６２】
また、左右ガイド機構２は、仕切板１の上端前後角部11，11に取着したローラ部材51と、ローラ部材51をガイドするガイドレール22とを、有し、収納空間９の上壁面９ａの前縁・後縁の近傍位置に配設し、さらに、仕切板１の上端中央部50に取着した上ローラ部材53と、上ローラ部材53をガイドするために収納空間９の上壁面９ａ側に配設した上ガイドレール54とを、有するので、仕切板１がこじれることなくスムーズに左右方向へ移動することができる。ローラ部材51がガイドレール22に当接して、移動するので仕切板１がふらつかずズムーズに安定して左右方向に往復移動できる。また、前後方向のふらつきがなくなりより安定して、被収納部材Ａを保持できる。また、仕切板１の上下左右方向の揺動が規制され、よりスムーズに仕切板１を往復移動できる。仕切板１の、上端前後角部11，11と上端中央部50とをガイドして往復移動させるのでより安定して往復移動できる。
【００６３】
また、停止機構３は、仕切板１の上端面10から突出収納自在に付設した錠杆部材30と、錠杆部材30の突出収納を操作する操作部33と、上壁面９ａ側に配設した凹凸波部32を有する帯板状部材31と、を備え、錠杆部材30を操作部33によって突出させ、凹凸波部32の凹部32ａに嵌め込んで、左右方向多段位置にて停止可能としたので、確実に被収納部材Ａを受持できる。また、凹凸波部32を有するので、錠杆部材30がスムーズに凹部32ａに嵌まり込む。また、多段位置にて停止可能なので、被収納部材Ａの増減があっても、仕切板１を被収納部材Ａに近接乃至接触させて、確実に受持することができる。また、停止保持力（つまり、被収納部材Ａからの力を受持する力）を、左右方向へ移動させる操作性に影響させることなく調整（設定）できる。
【００６４】
また、停止機構３は、仕切板１の上端面10から突出収納自在に付設した錠杆部材30と、錠杆部材30の突出収納を操作する操作部33と、上壁面９ａ側に配設した弾性部材から成る帯板状部材31と、を備え、錠杆部材30を操作部33によって突出させ、帯板状部材31に当接して帯板状部材31に凹窪部31ａを形成するように部分的圧縮させて、左右方向無段位置にて停止可能としたので、被収納部材Ａの増減があっても、仕切板１を被収納部材Ａに接触させて、確実に受持することができる。また、停止機構３の停止保持力（つまり、被収納部材Ａからの力を受持する力）を、左右方向へ移動させる操作性に影響させることなく調整（設定）できる。また、帯板状部材31が凹窪部31ａを形成するので、錠杆部材30が帯板錠部材31にくい込むように接触して確実に仕切板１を停止保持できる。
【符号の説明】
【００６５】
１  仕切板
２  左右ガイド機構
３  停止機構
９  収納空間
９ａ  上壁面
10  上端面
11  上端前後角部
14  正面部
15  背面部
22  ガイドレール
22ａ  上向突片
22ｂ  下向突片
22ｄ  内壁
30  錠杆部材
31  帯板状部材
31ａ  凹窪部
32  凹凸波部
32ａ  凹部
33  操作部  
50  上端中央部
51  ローラ部材
51ａ  ガイド溝部
53  上ローラ部材
54  上ガイドレール
Ａ  被収納部材
【図１】
0005364813.tif 000002
【図２】
0005364813.tif 000003
【図３】
0005364813.tif 000004
【図４】
0005364813.tif 000005
【図５】
0005364813.tif 000006
【図６】
0005364813.tif 000007
【図７】
0005364813.tif 000008
【図８】
0005364813.tif 000009
【図９】
0005364813.tif 000010
【図１０】
0005364813.tif 000011